(57)【要約】【課題】従来、不断水でのサドル付分水栓の内部点検は、分水栓頂部の穿孔機取付口に袋ナット内に透明プレートを収嵌した点検キャップを取付け、透明プレートを通して内部の状況を覗き見て確認、点検を行ってきたが、透視の障害となる分水栓内部の水や空気を十分に排出できなかったり、内部が暗く十分な確認ができないといった問題があった。【解決手段】透明棒５の外周に挿入間隙６１を形成するアダプター６を介して、サドル付分水栓頂部から穿孔機挿入孔に透明棒を挿入下降させることによって前記間隙から穿孔機挿入孔内の水や空気を排出しつつ、点検部位に近接する所定位置まで透明棒を挿入して、透明棒の頂部から点検部を覗き見て確認するように構成した。【選択図】図３
2014129825.tif 000002
【特許請求の範囲】
【請求項１】
透明棒の外周に挿入間隙を形成するアダプターを介して、サドル付分水栓頂部から穿孔機挿入孔に透明棒を挿入下降させることによって前記間隙から穿孔機挿入孔内の水や空気を排出しつつ、点検部位に近接する所定位置まで透明棒を挿入して、透明棒の頂部から点検部を覗き見て確認することを特徴とするサドル付分水栓内部の点検方法
【請求項２】
円筒状の透明体を保持するハンドル体を頂部外周付近に設定し、同透明体の先端所定部位にストッパーを形成して成る透明棒と、サドル付分水栓頂部の穿孔機挿入孔外周に着脱可能に設定して、前記透明棒の穿孔機挿入孔への挿入下降をガイドするアダプターとから成るサドル付分水栓内部点検具
【請求項３】
円筒状透明体の外周に雄螺子を刻設すると共に、アダプターの透明棒挿入穴内壁に雌螺子を刻設して、透明棒の挿入下降を螺合により行うようにした請求項２記載のサドル付分水栓内部点検具
【請求項４】
円筒状透明体の外周に雄螺子を刻設したカバー体を覆着して透明棒を構成するようにした請求項３記載のサドル付分水栓内部点検具
【請求項５】
透明体の頂部外周を保持するハンドル体の保持体底端部に、アダプターの透明棒挿入口外周に刻設した雄螺子と螺合する雌螺子を内壁に刻設した覆蓋体を形成した請求項２又は請求項３又は請求項４記載のサドル付分水栓内部点検具
【発明の詳細な説明】
【技術分野】
【０００１】
本発明は、不断水でサドル付分水栓の内部の状態、特に防錆コアの穿孔部への着合等の状態をより鮮明に確認点検するための方法と点検具に関するものである。
【背景技術】
【０００２】
従来、サドル付分水栓の内部点検は、サドル付分水栓頂部の穿孔機取付口に袋ナット内に透明プレートを収嵌した点検キャップを取付け、透明プレートを通してサドル付分水栓内部の状況を覗き見て、防錆コアの着合状態等の内部確認、点検を行ってきており、サドル付分水栓の内部が暗く見え難い場合には、側部の給水管取付口にも点検キャップを設置し、これを通して側部側から内部をライト等で照らして照明を入れるようにしている。
【０００３】
また、不断水で穿孔穴や防錆コアの状態を確認する場合、サドル付分水栓の内部に気泡があると内部が見え難いので、穿孔機取付口に設置した点検キャップを緩めて内部の空気を十分に排出するようにしている。
【先行技術文献】
【非特許文献】
【０００４】
上記のような方法が事実上行われているが、これに関する文献を調査したが、発見できなかった。
【発明の概要】
【発明が解決しようとする課題】
【０００５】
上記した従来の分水栓の内部点検方法は、通常の日中の明るさでは、サドル付分水栓の内部が暗く、穿孔穴や防錆コアの状態を十分に確認できない場合があり、側部の給水管取付口側から内部をライト等で照らしても、側部からの光は穿孔穴や防錆コアの部位に直接届かず影ができたり、ムラが発生したりする。
【０００６】
更に、不断水で穿孔穴や防錆コアの状態を確認する場合、前記のようにサドル付分水栓内部の空気を十分に排出する必要があり、前記点検キャップを緩めて行っているが、その緩め量や内部の水圧或いは排出する空気の量によって空気が抜け難いといった問題がある。
【課題を解決するための手段】
【０００７】
本発明は上記した課題に対応しようとするものであり、集光力によって頂部から先端底部を見通すことができる円筒状透明体によって構成した透明棒を、その外周に間隙を形成するアダプターを介して、サドル付分水栓頂部から穿孔機挿入孔に挿入下降させることによって水圧及び透明棒の体積が排除する穿孔機挿入孔内の水や空気を透明棒の外周と前記アダプターの間隙を通じて排出しつつ、点検部位に近接する所定位置まで透明棒を挿入して、透明棒の頂部から点検部を覗き見て、状況を確認するように構成した。
【０００８】
また、透明体の先端所定部位に抜け止めストッパーを形成して透明棒とアダプターを組着けると共に、穿孔機挿入孔の所定部位まで透明棒が挿入下降したところで停止させ、透明棒を安定させて透視のぶれを無くして点検部位を確実に捉えるようにした。
【０００９】
更に、必要な場合には、円筒状透明体の外周に雄螺子を刻設する（雄螺子を刻設した外覆筒で被覆しても良い。）と共に、アダプターの透明棒挿入穴内壁に雌螺子を刻設して（雌螺子を刻設した内筒で被覆しても良い。）、透明棒の挿入下降を螺合により行うようにし、透明棒を任意の下降位置で停止させたり、徐々に下降させることもできるようにした。
【００１０】
また更に、透明体の頂部外周を保持するハンドル体の保持体底端部に、アダプターの透明棒挿入口外周に刻設した雄螺子と螺合する雌螺子を内壁に刻設し、Ｏリングを設定した覆蓋体を形成し、所定位置においてアダプターの透明棒挿入口外周の雄螺子と覆蓋体の雌螺子により、透明棒のハンドル体とアダプターを螺合させてシールし、前記透明棒の挿入により内部の水や空気を抜く排出間隙を封鎖して水漏れの発生が防止されるようにした。
【００１１】
透明棒のハンドル体とアダプターの螺合は、配水本管からサドル付分水栓に掛る水圧により穿孔機挿入孔に挿入した透明棒が押し上げられるのを防止するものである。
【発明の効果】
【００１２】
本発明は、上記のように構成したので、円筒状透明体である透明棒がサドル付分水栓の穿孔機挿入孔に挿入下降される際に、水圧及び透明棒の体積が穿孔機挿入孔内の水と空気を強制的に排除して透明棒外周とアダプター内周との間に形成された間隙から排出するので、特に排出作業を行うことなく自動的にサドル付分水栓内部の水や空気が十分に排出されるものである。
【００１３】
また、サドル付分水栓内部の水や空気の十分な排出と透明棒の集光力により、点検部を直に照らすことができるようになり、通常の日中の明るさでも穿孔穴や防錆コアの状態を鮮明に確認点検できるようになった。夜間や光線の関係でサドル付分水栓側部の給水管取付口側から内部をライト等で照らす場合でも、光が透明棒を介して直に点検部の奥まで入りより鮮明に点検部を目視することができた。
【図面の簡単な説明】
【００１４】
【図１】本発明の実施例を示すもので、本発明によるサドル付分水栓内部点検具とサドル付分水栓との関係を示す、球弁体の流路を閉じた状態のサドル付分水栓と、ハンドル体とアダプターを離間させた状態の点検具の分解縦断側面図
【図２】同じく、他の実施例として透明棒の外周に雄螺子を設けた実施例について図１と同様の関係を示す分水栓と点検具の分解縦断側面図
【図３】同じく、図１の実施例についてサドル付分水栓の頂部にアダプターを着設し、球弁体の弁孔を穿孔機挿入孔を開口する側に切換えた状態の分水栓と点検具の縦断側面図
【図４】同じく、図２の実施例について図３と同様にアダプターを着設した状態の分水栓と点検具の縦断側面図
【図５】同じく、図１の実施例について透明棒を点検部位まで挿入下降させた状態を示す分水栓と点検具の縦断側面図
【図６】同じく、図２の実施例について透明棒を点検部位まで挿入下降させた状態を示す分水栓と点検具の縦断側面図
【図７】従来例による点検キャップの装着状態と目視点検構成を示す分水栓と点検キャップの縦断側面図
【図８】同じく、従来例による点検キャップの装着状態と目視点検構成を示すもので、側部の給水管取付口からライトで照らしている状態の分水栓と点検キャップの縦断側面図
【発明を実施するための形態】
【００１５】
以下、図面を参照して本発明の実施の形態について詳細に説明すると、１はサドル付分水栓で、下部に分水栓を設置する水道配管の配水本管２に締着するサドル１２、その内径部に通水孔１１が開口する。
【００１６】
通水孔１１の上部は弁室１３で、球弁体回動軸１４によって回動する球弁体１５を格納し、給水路１６を開閉する。弁室１３の上部は開放孔１８となっていて常時はキャップ１７によって閉栓されている。
【００１７】
先ず、サドル付分水栓１を設置する配水本管２に、サドル１２によって分水栓を取り付け、キャップ１７を外し球弁体１５を開口すると、分水栓上部開放孔１８から弁孔１９を通じて通水孔１１への通孔が開通するので、開放孔１８を通じて配水本管２に穿孔機（図示しない。）により穿孔穴２１を穿孔する。
【００１８】
穿孔穴２１が穿孔されると、本管２の水圧により水が穿孔機に設けられた排水路に流出し、流出水と共に穿孔による切粉等の不純物が排出されるので球弁体１５を閉栓して止水し、キャップ１７が螺合していたサドル付分水栓頂部（穿孔機取出口）の雄螺子４２に、防錆コア３を係合した挿入杆を挿入機に接合して挿入機の操作により穿孔部に防錆コア３を着合して球弁体１５を開栓する。
【００１９】
以上のようにして、配水本管２への穿孔穴２１が穿孔され、穿孔穴２１に防錆コア３が着合されるが、上記のように穿孔機は分水栓上部の開放孔１８から球弁体１５の弁孔１９、サドル内径部の通水孔１１を通じて挿入されて配水本管２への穿孔が行われるものであり、防錆コア３の着合は防錆コアを係合した挿入杆を挿入機に接合して手指の感覚で行われるものであるところから、穿孔穴２１の穿孔やその穿孔穴への防錆コア３の着合状態の点検確認は極めて重要なものとなっている。
【００２０】
従来、この点検確認は図7に示されるように、サドル付分水栓頂部（穿孔機取出口）の雄螺子４２に袋ナット３１内に透明プレート３２をパッキン３３により収嵌した点検キャップ３４を取付け、分水栓頂部から透明プレート３２を通して目視することにより行われてきた。
【００２１】
また、夜間や光線の関係で点検内部が暗い場合には、図８に示されるようにサドル付分水栓側部の給水管取付口４側から内部をライト等で照らす方法によって行われてきているが、気泡等によって目視を妨げる分水栓内部の水や空気の排出については点検キャップ３４を緩めて排出する以外に積極的な方法は行われていなかった。
【００２２】
本発明は、アクリル樹脂、ポリカーボネート樹脂等の素材により、集光力によって頂部から先端底部を見通すことができる円筒状透明体５１によって構成した透明棒５を、その外周に間隙６１を形成するアダプター６を介して、サドル付分水栓１の頂部から穿孔機挿入孔４１に挿入下降させることによって透明棒５の水圧及び体積が排除する穿孔機挿入孔内の水や空気を透明棒の外周と前記アダプター６の間隙６１を通じて排出しつつ、点検部位に近接する所定位置まで透明棒を挿入して、透明棒５の頂部から点検部を覗き見て、状況を確認するようにした。
【実施例１】
【００２３】
透明棒５は、先端部に若干径を太くして段部を設けた抜け止めストッパー５２を形成した円筒状透明体５１の頂部外周付近を保持するハンドル体５３から成り、ハンドル５４により両側から円筒状透明体５１を螺締すると共に、両側方に突設されたハンドル５４、５４を設定したハンドル体５３の下端に、アダプター６の透明棒挿入口外周に刻設した雄螺子６２と螺合する雌螺子５５を内壁に刻設した覆蓋体５６が形成されている。
【００２４】
アダプター６は、円筒状透明体５１の外径より僅かに広径で透明棒の挿通時にその外周に間隙６１を形成する挿通孔を中央に設け、上端部は外周にＯリング６３を設定し、ハンドル体５３の覆蓋体５６の上部に形成された嵌合凹部５７に嵌入する嵌入部６４、その下部に覆蓋体５６の雌螺子５５と螺合する雄螺子６２を外周に刻設し、スパナ掛け６６が形成されている。なお、スパナを使わず手締めとする場合は、スパナ掛け６６に替えて円筒状の操作部外周にローレット加工を行った形状となる。
【００２５】
点検に当たっては、先ず、サドル付分水栓1のキャップ１７を外し、給水管取付口４に螺合して置き、球弁体１５を回動して穿孔機挿入孔４１を開放すると共に、アダプター６をサドル付分水栓頂部の穿孔機挿入孔４１の挿入口となる分水栓上部の開放孔１８の外周に刻設された雄螺子４２とアダプターの透明棒挿入穴の下端部内壁に設けた雌螺子６５を螺合して設定する。
【００２６】
サドル付分水栓頂部に設定したアダプター６の頂部から透明棒５を挿入し下降させると、下降するに従って穿孔機挿入孔内の水や空気が透明棒５の水圧及び体積に押し退けられて、円筒状透明体５１の径と穿孔機挿入孔内径の径差によって形成された間隙６１を通じて外部に排出される。６８は樹脂等の柔軟素材による摺動案内部材で、透明棒５の挿入下降を円滑に案内すると共に間隙６１による水や空気の排出にも寄与するものである。
【００２７】
更に下降すると、アダプター６頂部の嵌入部６４が、覆蓋体５６の上部に形成された嵌合凹部５７に嵌入し、覆蓋体５６の下端がアダプターの上部と突合するので、覆蓋体５６の雌螺子５５とアダプター胴部の雄螺子６２を螺合させつつ、透明棒５を点検部位付近まで下降させることによりサドル付分水栓頂部にサドル付分水栓内部点検具が設定される。
【００２８】
サドル付分水栓内部点検具の設定によりサドル付分水栓内部の水や空気が排除され、純粋な透明性を持つ円筒状透明体５１が穿孔機挿入孔内に介在されるので、透明棒５の頂部から点検部を明確に目視できるものである。なお、夜間等、サドル付分水栓内部の光度が足りない場合には、給水管取付口４に螺合して置いたキャップ１７を外し給水管取付口４からライトによる照射を行う場合もある。
【００２９】
点検終了後は、透明棒５を引き上げ球弁体１５を回動して閉口し、サドル付分水栓内部点検具を取り外す。その後、給水管取付口４からキャップ１７を取り外し、給水管を給水管取付口４に接続する。更に、キャップ１７をサドル付分水栓頂部の雄螺子４２に螺合し、球弁体１５を回動し開口する。以上のようにして本発明によるサドル付分水栓内部点検方法は配水本管２の通水を止めることなく穿孔穴２１の穿孔やその穿孔穴への防錆コア３の着合状態の点検を行うことができるものである。
【実施例２】
【００３０】
実施例２は、図２に示すように円筒状透明体５１の外周に雄螺子５８を設けると共に、アダプターの透明棒挿入穴内壁に雌螺子６７を設けて、透明棒５の挿入下降を螺合により行うようにしたもので、押し下げによる急速な下降は出来ないものの、任意の下降部位で安定的な停止を行うことができる。
【００３１】
また、実施例２の場合は、上記のように円筒状透明体５１の外周雄螺子５８と透明棒挿入穴内壁の雌螺子６７とが螺合して挿入状態が安定している。
【実施例３】
【００３２】
実施例３は、円筒状透明体５１の外周雄螺子５８の設定を雄螺子を刻設した青銅、黄銅等による金属製覆外筒等のカバー部材５８ａによって、円筒状透明体５１の外周を被覆することによって行うようにしたものである。
【００３３】
カバー部材５８ａは、下端部に径を太くした抜け止めストッパー５２ａを形成したカバー部材５８ａに円筒状透明体５１を挿入してその外周全面に覆着する。或いは、抜け止めストッパー５２の部分を除いて、その上部全体に覆着する。その上端側には、両側から円筒状透明体５１を螺締するハンドル５４、５４の部位に通孔５８ｂが穿設され、ハンドル５４、５４がカバー部材５８ａの通孔５８ｂを挿通して円筒状透明体５１を螺締する。
【００３４】
従って、カバー部材５８ａはハンドル体の回動操作によって円筒状透明体５１と一体に回動し、サドル付分水栓１内への挿入、上昇、下降動作も一体的に安定して行われ、円筒状透明体５１に直接雄螺子５８を刻設するよりは作業的に効率化される場合もあるものである。
【産業上の利用可能性】
【００３５】
本発明に係るサドル付分水栓内部点検方法と点検具は、分譲住宅等、水道配管の本管から支管に分岐配水する際に、分岐配水できるサドル付分水栓の穿孔穴の処理を完全なものとし、その活用に大きく貢献するもので、水道施設産業上に高度の利用価値を有するものである。
【符号の説明】
【００３６】
１      サドル付分水栓
１１    サドル付分水栓の通水孔
１２    サドル付分水栓のサドル
１３    サドル付分水栓の弁室
１４    サドル付分水栓の球弁回動軸
１５    サドル付分水栓の球弁
１６    サドル付分水栓の給水管への通水路
１７    サドル付分水栓本体上部のキャップ
１８    弁室上部の開放孔
１９    球弁の弁孔
２      配水本管
２１    穿孔穴
３      防錆コア
３１    点検キャップの袋ナット
３２    点検キャップの透明プレート
３３    点検キャップのパッキン
３４    点検キャップ
４      給水管取付口
４１    穿孔機挿入孔
４２    分水栓上部開放孔（穿孔機取付口）外周の雄螺子
４３    分水栓本体のキャップ螺合部
５      透明棒
５１    円筒状透明体
５２    抜け止めストッパー
５２ａ  カバー部材に形成した抜け止めストッパー
５３    ハンドル体
５４    ハンドル
５５    覆蓋体内壁の雌螺子
５６    ハンドル体下端の覆蓋体
５７    覆蓋体の上腔部に形成された嵌合凹部
５８    透明棒外周に刻設した雄螺子
５８ａ  透明棒外周に覆着するカバー部材
５８ｂ  透明棒覆着カバー部材上端の通孔
６      アダプター
６１    アダプター上面に開口する水や空気の排出間隙
６２    アダプター胴部の雄螺子
６３    Ｏリング
６４    アダプター頂部の嵌入部
６５    分水栓本体のキャップ螺合部
６６    スパナ掛け
６７    アダプターの透明棒挿入穴内壁に刻設された雌螺子
６８    摺動案内部材
【図１】
2014129825.tif 000003
【図２】
2014129825.tif 000004
【図３】
2014129825.tif 000005
【図４】
2014129825.tif 000006
【図５】
2014129825.tif 000007
【図６】
2014129825.tif 000008
【図７】
2014129825.tif 000009
【図８】
2014129825.tif 000010